(57)【特許請求の範囲】
【請求項１】
中子の両側面に柄部を着脱自在に装着した包丁であって、柄部を中子に装着するために少なくとも２つの磁性体のピンを有し、該ピンは軸部とそれよりも径の大きな頭部とから成り、且つピンの軸部は一方の柄部のガイド孔及び中子のガイド孔を通過して他方の柄部の表面まで届いてピンの先端面が露出し、前記他方の柄部には孔部が設けられ、該孔部はピンの軸部の径よりも大きく形成されており、前記孔部の中には磁石が嵌入され、該磁石にも孔部が設けられ、ガイド孔を有する非磁性部材が前記磁石の孔部に嵌入され、非磁性部材のガイド孔を通過して他方の柄の表面に露出しているすべてのピンの先端面を覆う単一の磁性板が前記磁石の磁力によって他方の柄の表面に吸着固定され、ピンの先端面は磁性板を通る磁力によって磁性板に吸着して固定されていることを特徴とする包丁
【請求項２】
非磁性部材は、非磁性金属によって形成されたスリ−ブである請求項１記載の包丁
【発明の詳細な説明】
【０００１】
【発明の属する技術分野】
本発明は一般大衆が使用する包丁に関する。
【０００２】
【従来の技術】
磁力によってピンを固定する技術については、特公昭５９−４４０６５公報に示されているように、従来から提案されている。この発明は鋏に関する物であり、鋏身に磁石を取付けて鋏身のガイド孔と磁石のガイド孔を連通させ、ピンをガイド孔に挿入しピンを磁石の磁力によって固定したものである。
【０００３】
【発明が解決しようとする課題】
従来の、ピンを磁石で固定する技術は上述のような構成であって、ガイド孔に挿入されたピンが、磁石の磁束のごく一部である内面の横方向の磁束を短絡することにより、そのピンの保持力が発生するのである。しかし、磁束のごく一部しか作用しないのでピンを保持するための磁力の効率が非常に悪くなる。
【０００４】
したがって、このような従来の構成にした場合にはきわめて磁力の強い磁石を用いなければならなかった。フェライト磁石やアルニコ磁石などは磁力の強い磁石として知られているが、従来品に対しては十分でない。
【０００５】
従来の技術においてピンを確実に固定するためには極めて磁力の強い希土類磁石などを使用する必要がある。しかし、希土類磁石などの磁力の強い磁石は極めて高価であり、主婦が主に使用する包丁としては高価格の商品となる欠点がある。また、希土類磁石は錆びやすく割れやすい性質も有している。したがって、台所で使用するときは誤って床に落したときに磁石が割れる虞があり、希土類磁石が水に触れることが多く磁石が錆びる虞もある。
【０００６】
そこで、本発明は希土類磁石などに比べて磁力が弱くても、他の手段を付加することによって磁力を非常に効率的にピンに作用させ、ピンの固定を確実に行なえる包丁を提供することを目的とする。あるいは、必要に応じてピンを外して分解する場合、道具を使用せずして部材の分解、組立て作業を容易にすると共に、ピンなどの細かい部品のほとんどを分離して洗浄できるようにすることを目的とする。さらには、部材の結合部品をシンプルな形状として洗浄が容易にできることも目的とするものである。
【０００７】
また、非常に強い固定力を得るために、希土類磁石に上述の欠点があることを承知の上でこの磁石を用いてピンを固定する場合がある。しかし、このような場合において、上述したように従来は磁石の磁力の一部しか使用しない方式では、きわめて磁力の強い希土類磁石を用いてもピンを十分に固定することができない場合があった。本発明は、磁石によってピンをきわめて強力に固定することも目的とする。
【０００８】
【課題を解決するための手段】
請求項１記載の発明は、中子の両側面に柄部を着脱自在に装着した包丁であって、柄部を中子に装着するために少なくとも２つの磁性体のピンを有し、該ピンは軸部とそれよりも径の大きな頭部とから成り、且つピンの軸部は一方の柄部のガイド孔及び中子のガイド孔を通過して他方の柄部の表面まで届いてピンの先端面が露出し、前記他方の柄部には孔部が設けられ、該孔部はピンの軸部の径よりも大きく形成されており、前記孔部の中には磁石が嵌入され、該磁石にも孔部が設けられ、ガイド孔を有する非磁性部材が磁石の孔部に嵌入され、非磁性部材のガイド孔を通過して他方の柄の表面に露出しているすべてのピンの先端面を覆う単一の磁性板が前記磁石の磁力によって他方の柄の表面に吸着固定され、ピンの先端面は磁性板を通る磁力によって磁性板に吸着して固定されている構成である。
【０００９】
請求項２は、非磁性部材が、非磁性金属によって形成されたスリ−ブである要素が請求項１に付加された構成である。
【００１０】
【発明の効果】
本発明は以上のような構成であって、ピンの軸部は一方の柄部のガイド孔及び中子のガイド孔を通過して他方の柄部の表面まで届いてピンの先端面が露出し、前記他方の柄部には孔部が設けられ、該孔部はピンの軸部の径よりも大きく形成されており、前記孔部の中には磁石が嵌入され、該磁石にも孔部が設けられ、ガイド孔を有する非磁性部材が磁石の孔部に嵌入され、非磁性部材のガイド孔を通過して他方の柄の表面に露出しているすべてのピンの先端面を覆う単一の磁性板が前記磁石の磁力によって他方の柄の表面に吸着固定され、ピンの先端面は磁性板を通る磁力によって磁性板に吸着して固定されている。この構成によって、磁石のガイド孔に挿入されているピンの先端面に磁性板を介して磁石板の磁束を集めることができる。したがって、ピンを固定する磁力は、ピンの先端面に働いてピンをその軸線方向に引っ張る作用をなす。これにより、ピンを固定するために磁力が効率良くピンに作用し、従来と同じ磁力の磁石を用いたときに従来よりもピンをはるかに強力に固定できる。
【００１１】
前述したように本発明は磁力を非常に効率良く利用できる。このことは、２つの柄部を固定するために従来は希土類磁石を用いていた器具に、希土類磁石のようなきわめて磁力の強い磁石を用いなくても目的を達成することが可能になる。特に、フェライト磁石は、希土類磁石に比べて価格が非常に安いので安価に提供することができる。また、希土類磁石は錆び易いが、フェライト磁石等は錆びにくいので、台所で使用する包丁に使用するときに最適である。また、台所の床は硬いので割れ易い性質を有する希土類磁石では包丁を床に落したときに磁石が割れる虞があるが、本発明の磁石は割れにくいのでそのような虞がない。さらに、現在はクレジットカ−ドやキャッシュカ−ドのような磁気カ−ドが普及し、一般の主婦であってもポケットに磁気カ−ドを入れて包丁を使用することがある。この場合、包丁に希土類磁石のようなきわめて磁力の強い磁石を用いたときは、磁気カ−ドがその磁力の影響を受ける虞がある。また、腕時計を腕に付けているときはその時計が磁力の影響を受ける虞がある。しかし、本発明で使用される磁石はそれよりも磁力の弱い磁石であり、しかも磁性板によって磁束が集中して拡散しないので、磁気カ−ドをポケットに入れていても、あるいは腕時計を腕に付けていても磁石の影響を受けることがない。
【００１２】
また、ピンは複数存在するが磁性板は一枚であるから、包丁の分解及び組立てを簡単に行なうことができる。さらに、磁性板は２以上の磁石で柄部の表面に吸着されるので、使用中に移動しにくいという効果を奏する。さらに、近年、アウトドアレジャ−の流行にともない、包丁の柄は一つで、いくつもの刃を組み合わせ、用途に応じて刃を着脱自在に柄に取付ける包丁が存在している。しかしながら、このような替刃式包丁は柄と刃の結合が複雑な構成であったから使用中に刃がガタついたり、力の方向によっては刃が柄から外れる虞もあった。しかし、本発明は、結合はピン結合であってそれを磁石によって強固に固定するので、使用中に刃がガタつくことがなく不意に刃が柄から外れる虞もない。また、本発明は柄も分解できるから、全体をコンパクトにすることができて携帯に便利である。このように、本発明は台所のほかにアウトドアのような副次的な用途にも対応できる。
【００１３】
請求項２では、非磁性部材が非磁性金属によって形成されたスリ−ブである。したがって、スリ−ブを分解して掃除することができるので包丁をより清潔にすることができる。
【００１４】
【発明の実施の形態】
次に本発明の実施の形態を図面に従って説明する。中子１には２つのガイド孔２，２が設けられている。ガイド孔はピン３，３の数に対応して設けられるものであって、ピンを３本用いるときはガイド孔の数も３となる。ピン３，３は軸部の一端にそれよりも径の大きな頭部５，５が一体に設けられたものである。中子１は磁性体であってもよく、そうでなくてもよい。ピン３，３は磁性体で形成される。
【００１５】
中子１の両側面に取付けられる柄部は合成樹脂で形成された２つの板状体で形成されている。一方の柄部６はやや厚めに形成され、他方の柄部７はそれよりも薄く形成されている。一方の柄部６にはガイド孔８，８が設けられており、これらのガイド孔８，８はピンの頭部５，５を没入させるために段差を設けた構成となっている。
【００１６】
他方の柄部７には大きめの孔部９，９が設けられており、この孔部９，９内に円盤状の磁石１０，１０が嵌入される。磁石１０，１０は取外し自在であってもよく、固着されていてもよい。磁石１０，１０には丸孔１１，１１が設けられており、この丸孔１１，１１内に真鍮製のスリ−ブ１２，１２が嵌入されている。磁石は希土類磁石のようなきわめて磁力の強い磁石を用いなくても、フェライト磁石やＫＳ鋼あるいはＭＫ鋼を用いればその磁力で十分に目的を達成することが可能である。フェライト磁石やＫＳ鋼あるいはＭＫ鋼は錆びにくいので、台所で使用する包丁に最適である。スリ−ブ１２，１２も磁石１０，１０と同様に取外し自在であってもよく、固着されていてもよい。ピンの軸部４はスリ−ブのガイド孔１３，１３に挿通される。
【００１７】
包丁を組立てるには、柄部６，７を中子１の両側面にそれぞれ当てがい、他方の柄部の孔部９内に磁石１０とスリ−ブ１２を嵌入し、ピン３をガイド孔２，８，１３内に挿通する。ピン３を一杯に挿通すると、ピンの先端面１４は他方の柄部７の表面と同一平面をなして突出することがない。ピン３，３を一杯に挿入した後に、磁性板１５によってピンの先端面１４，１４を覆う。磁性板１５は好ましくは磁性ステンレス鋼で形成する。磁性板１５は磁石１０，１０に吸着し、ピンの先端面１４，１４は磁性板１５に吸着することによって包丁が組立てられる。磁性板１５は図面に示したように楕円形に近い形状であってもよく、あるいは中子１の形状と同じであってもよい。中子１と同じ形状としたときは体裁を良くすることができる。
【００１８】
包丁を分解するときは、磁性板１５を取外し、ピンの先端面１４を箸などの先端で押してピン３を各ガイド孔２，８，１３から抜く。そうすることによって、各部品を完全に分解することができる。磁石１０とスリ−ブ１２が孔部９内に固着しているときは、固着されたままで他の部品が分解される。磁石１０とスリ−ブ１２が固着されていないときは、これらの部品も含めて完全に分解することができる。したがって、分解した後に各部品を完全に洗浄することができる。
【図面の簡単な説明】
【図１】  本発明の分解斜視図
【図２】  本発明の斜視図
【図３】  本発明の正面図
【図４】  本発明の裏面図
【図５】  本発明の組立て状態を示した一部断面図
【符号の説明】
１  中子
２  ガイド孔
３  ピン
４  軸部
５  頭部
６  一方の柄部
７  他方の柄部
８  ガイド孔
９  孔部
１０  磁石
１１  丸孔
１２  スリ−ブ
１３  ガイド孔
１４  ピンの先端面
１５  磁性板
【図１】
0004573317.tif 000002
【図２】
0004573317.tif 000003
【図３】
0004573317.tif 000004
【図４】
0004573317.tif 000005
【図５】
0004573317.tif 000006